【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
サポートワイヤー、
前記サポートワイヤーによって規定される軸線の周りに配置されるボディーフレーム部であって、１つ以上の間隙を規定する前記ボディーフレーム部、
前記ボディーフレーム部から前記サポートワイヤーに結合しているカラーまで延びている１本以上のテザーを含むテザー部、及び
前記ボディーフレーム部から延びているフィルター部
を備える血栓治療器具であって、
前記カラーが実質的に前記のボディーフレーム部又はフィルター部の内部領域内に位置するときに、前記サポートワイヤーの関節接合は、前記の１本以上のテザーの一部を可動域の中で動かすことになり、且つ、前記ボディーフレーム部に対して実質的な運動を伝えないことを特徴とする前記血栓治療器具。
【請求項２】
前記サポートの前記関節接合は、前記サポートワイヤーの回転運動であり、且つ、前記ボディーフレーム部の実質的にゼロの運動を引き起こす、請求項１に記載の器具。
【請求項３】
前記器具が前記サポートワイヤーの前記回転運動に関して前記サポートワイヤーの０°回転と関連するニュートラルポジション、前記サポートワイヤーの時計回り回転と関連する第１トルクポジション、及び前記サポートワイヤーの反時計回り回転と関連する第２トルクポジションを含む、請求項２に記載の器具。
【請求項４】
前記器具が前記ニュートラルポジションにあるときに前記の１本以上のテザーが「Ｓ字」型形状を備える、請求項３に記載の器具。
【請求項５】
前記器具が前記第１トルクポジションにあるときに前記の１本以上のテザーが第１の全般的に直線的な形状を備え、且つ、前記器具が前記第２トルクポジションにあるときに前記の１本以上のテザーが第２の全般的に直線的な形状を備える、請求項３に記載の器具。
【請求項６】
前記器具が前記ニュートラルポジションにあるときに前記の１本以上のテザーがループ形態を備える、請求項３に記載の器具。
【請求項７】
前記サポートワイヤーが関節接合されると、前記ボディーフレーム部によって規定される前記の１つ以上の間隙を通って、突き出ている血栓性物質の少なくとも一部を切断するように前記の１本以上のテザーが構成されている、請求項１に記載の器具。
【請求項８】
前記サポートワイヤーの前記関節接合が最大で２７０°までの前記サポートワイヤーの回転運動であり、前記の１本以上のテザーの前記一部を可動域の中で動かすことになり、且つ、前記ボディーフレーム部に対して実質的な運動を伝えない、請求項１に記載の器具。
【請求項９】
前記サポートワイヤーの関節接合が最大で１８０°までの前記サポートワイヤーの回転運動であり、前記の１本以上のテザーの前記一部を可動域の中で動かすことになり、且つ、前記ボディーフレーム部に対して実質的な運動を伝えない、請求項１に記載の器具。
【請求項１０】
前記サポートの前記関節接合が最大で３６０°までの前記サポートワイヤーの回転運動であり、前記ボディーフレーム部の実質的にゼロの運動を引き起こす、請求項１に記載の器具。
【請求項１１】
第１サポートチューブ、
前記第１サポートチューブによって規定される軸線の周りに配置されるボディーフレーム部であって、１つ以上の間隙を規定する前記ボディーフレーム部、
前記ボディーフレーム部から前記第１サポートチューブに結合しているカラーまで延びている１本以上のテザーを含むテザー部、及び
第２サポートチューブに結合している安定化要素
を備える血栓治療システムであって、
前記カラーが実質的に前記ボディーフレーム部の内部領域内に配置されているときに最大で３６０°までの前記第１サポートチューブの回転運動が前記の１本以上のテザーの一部を可動域の中で動かすことになり、且つ、前記ボディーフレーム部に対して実質的な運動を伝えないことを特徴とする前記血栓治療システム。
【請求項１２】
前記の１本以上のテザーが前記ボディーフレーム部の近位末端から延びている、請求項１１に記載のシステム。
【請求項１３】
前記の１本以上のテザーが前記ボディーフレーム部の遠位末端から延びている、請求項１１に記載のシステム。
【請求項１４】
前記の１本以上のテザーが、前記ボディーフレーム部によって規定される領域に進入している血栓性物質を前記第２サポートチューブに加えられた近位方向に向けられた力に反応して切断するように構成されている、請求項１１に記載のシステム。
【請求項１５】
最大で２７０°までの前記第１サポートチューブの回転運動が前記の１本以上のテザーの前記一部を可動域の中で動かすことになり、且つ、前記ボディーフレーム部に対して実質的な運動を伝えない、請求項１１に記載のシステム。
【請求項１６】
最大で１８０°までの前記第１サポートチューブの回転運動が前記の１本以上のテザーの前記一部を可動域の中で動かすことになり、且つ、前記ボディーフレーム部に対して実質的な運動を伝えない、請求項１１に記載のシステム。
【請求項１７】
第１サポートチューブ、
前記第１サポートチューブによって規定される軸線の周りに周方向に配置されるボディーフレーム部、
前記ボディーフレーム部の近位部分から前記第１サポートチューブに結合している第１カラーまで延びている１本以上の第１テザーを含む第１テザー部、
前記ボディーフレーム部の遠位部分から前記第１サポートチューブに結合している第２カラーまで延びている１本以上の第２テザーを含む第２テザー部、及び
第２サポートチューブに結合している安定化要素
を備える血栓治療システムであって、
前記第１カラーと前記第２カラーがそれぞれ前記ボディーフレーム部の内部領域内に位置するときに前記第１サポートチューブの回転運動が前記の１本以上の第１テザーと前記の１本以上の第２テザーの一部を可動域の中で動かすことになり、且つ、前記ボディーフレーム部に対して実質的な運動を伝えないことを特徴とする前記血栓治療システム。
【請求項１８】
最大で３６０°までの前記第１サポートチューブの回転運動が前記の１本以上の第１テザーと前記の１本以上の第２テザーの一部を可動域の中で動かすことになり、且つ、前記ボディーフレーム部に対して実質的な運動を伝えない、請求項１７に記載のシステム。
【請求項１９】
最大で１８０°までの前記第１サポートチューブの回転運動が前記の１本以上の第１テザーと前記の１本以上の第２テザーの一部を可動域の中で動かすことになり、且つ、前記ボディーフレーム部に対して実質的な運動を伝えない、請求項１７に記載のシステム。
【請求項２０】
第１サポートチューブと第２サポートチューブ、
ボディーフレーム部、
前記ボディーフレーム部の近位部分から前記第１サポートチューブに結合している第１カラーまで延びている１本以上の第１テザーを含む第１テザー部、
前記ボディーフレーム部の遠位部分から前記第２サポートチューブに結合している第２カラーまで延びている１本以上の第２テザーを含む第２テザー部、及び
第３サポートチューブに結合している安定化要素
を備える血栓治療システムであって、
前記第１カラーと前記第２カラーがそれぞれ実質的に前記ボディーフレーム部の内部領域内に位置するときに前記第１サポートチューブの回転動作によって前記の１本以上の第１テザーの一部の回転運動が引き起こされ、且つ、前記第２サポートチューブの回転動作によって前記の１本以上の第２テザーの一部の回転運動が引き起こされることを特徴とする前記血栓治療システム。
【請求項２１】
前記第１チューブと前記第２チューブが、反時計回りに回転させられて前記の１本以上の第１テザーの第１回転運動と前記の１本以上の第２テザーの第２回転運動を引き起こすように構成されている、請求項２０に記載のシステム。
【請求項２２】
サポートワイヤー、
前記サポートワイヤーによって規定される軸線の周りに配置されるボディーフレーム部であって、１つ以上の間隙を規定する前記ボディーフレーム部、
前記ボディーフレーム部から前記サポートワイヤーに結合しているカラーまで延びている１本以上のテザーを含むテザー部、及び
前記ボディーフレーム部から延びているフィルター部
を備える血栓治療器具であって、
前記カラーが前記のボディーフレーム部又はフィルター部の内部領域内に実質的に位置するときに前記サポートワイヤーの操作が前記の１本以上のテザーの一部を可動域の中で動かすことになり、且つ、前記ボディーフレーム部に対して実質的な運動を伝えないことを特徴とする前記血栓治療器具。
【請求項２３】
前記サポートワイヤーの前記操作が前記軸線と実質的に平行な直線運動である、請求項２２に記載の血栓治療器具。
【請求項２４】
前記サポートワイヤーの前記操作が回転運動である、請求項２２に記載の血栓治療器具。
【請求項２５】
前記サポートワイヤーの前記回転運動が最大で３６０°までである、請求項２４に記載の血栓治療器具。
【請求項２６】
前記サポートワイヤーの前記回転運動が最大で２７０°までである、請求項２４に記載の器具。
【請求項２７】
前記サポートワイヤーの前記回転運動が最大で１８０°までである、請求項２４に記載の器具。
【請求項２８】
前記器具が前記サポートワイヤーの前記回転運動に関して前記サポートワイヤーの０°回転と関連するニュートラルポジション、前記サポートワイヤーの時計回り回転と関連する第１トルクポジション、及び前記サポートワイヤーの反時計回り回転と関連する第２トルクポジションを含む、請求項２４に記載の器具。
【請求項２９】
前記器具が前記ニュートラルポジションにあるときに前記の１本以上のテザーが「Ｓ字」型形状を備える、請求項２８に記載の器具。
【請求項３０】
前記器具が前記第１トルクポジションにあるときに前記の１本以上のテザーが第１の全般的に直線的な形状を備え、且つ、前記器具が前記第２トルクポジションにあるときに前記の１本以上のテザーが第２の全般的に直線的な形状を備える、請求項２８に記載の器具。
【請求項３１】
前記器具が前記ニュートラルポジションにあるときに前記の１本以上のテザーがループ形態を備える、請求項２８に記載の器具。
【請求項３２】
前記サポートワイヤーを回転すると、前記ボディーフレーム部によって規定される前記の１つ以上の間隙を通って突き出ている血栓性物質の少なくとも一部を切断するように前記の１本以上のテザーが構成されている、請求項２４に記載の器具。